(57)【要約】  【課題】  ウオークイン動作においてシートを元の位置に復帰させるためのメモリー機構を備えた自動車用シートスライド装置を提供する。  【解決手段】  ロアレール（１３）と該ロアレールに摺動可能に嵌合させたアッパレール（１２）とから成り、アッパレールとロアレールとの間にはロアレールのロック歯（１５）に係合可能なロック孔（１６）を有するロック部材（８）と、該ロック部材に係合可能であってかつメモリーリング（３）を上下移動可能に備えたメモリー部材（９）と、該メモリー部材に支持された巻付けバネ（６）と、該巻付けバネに取付けられかつロアレールのロック穴（１０）に係合可能なフック部（３１）を有するメモリーフック（１１）とを配設させ、アッパレール上にはシートバックの前倒しに連動するスライド部材（２）を摺動可能に備え、該スライド部材にはメモリー部材とメモリーリングとを係合させてある。【選択図】    図１
2010076551.tif 000002
【特許請求の範囲】
【請求項１】
ロアレールと該ロアレールに摺動可能に嵌合させたアッパレールとから成り、ロアレールに形成したロック歯に係脱可能なロック孔を備えるとともに該ロック孔をロアレールのロック歯に噛合するように付勢させたロック部材をアッパレールに回動可能に取付け、
ロック部材に係合してロック部材のロック孔をロアレールのロック歯から外してシートのロックオフ状態を保持する位置とシートのロック時にロック部材に係合しない位置に回動可能でありかつシートのロック時にロック部材に係合しない位置に付勢されたメモリー部材をアッパレールに回動可能に取付け、
メモリー部材にはメモリーリングをメモリーフックに係合するように上下移動可能に設けると共にシートのロック状態においてメモリーフックを上方に押上げるようにメモリーフックを付勢するロール状に巻付けられた巻付けバネを支持させ、
アッパレール上にはシートバックの前倒し動作に連動して摺動可能なスライド部材を備え、該スライド部材にはロック部材のロック孔とロアレールのロック歯との噛合を外してシートのロックオフ状態を保持しかつロアレールのロック穴にメモリーフックを係合させてシートバックの前倒し前のシートの位置を記憶するメモリー部材を係合させ、
メモリーフックにはシートバックの前倒しによるシートの前方移動においてメモリーフックがロアレールのロック穴に噛合した状態でロール状に巻付けられた状態から巻きもどされて伸張すると共にシートバックの前倒し後のシートの復帰移動においてメモリーフックがロアレールのロック穴から外れるのを防ぐために伸張した状態からロール状に巻付ける巻付けバネを取付けたことを特徴とするメモリー機構を有するシートスライド装置。
【請求項２】
メモリー部材には一端にロック部材と係合してロック部材のロック孔をロアレールのロック歯から外してシートのロックオフ状態を保持する位置とシートのロック時にロック部材に係合しない位置とに回動可能な突出端を備え、その他端に該突出端がシートのロック時にロック部材に係合しない位置にメモリー部材を付勢するバネを設け、その上部にはメモリー部材の突出端がロック部材に係合しないシートのロック位置においてスライド部材の下側係合端に係合する係合突出部を設けると共にメモリーフックにより上方に押上げられてスライド部材の上側係合端に係合するメモリーリングを備えたことを特徴とする請求項１に記載のメモリー機構を有するシートスライド装置。
【請求項３】
スライド部材にはメモリー部材の係合突出部とメモリーリングとが係合する係合案内部を備え、該係合案内部にはシートバックの前倒し動作による前方移動においてメモリー部材をロック部材に係合させてロック部材のロック孔とロアレールのロック歯との噛合を外すためにメモリー部材の係合突出部に係合する傾斜面を備えると共にメモリーリングを下方向に押下げるバネを設け、シートバックの前倒し後の復帰時にはメモリーフックに係合するまではシートのロックオフ状態を保持させるためにメモリーリングに係合する係合段部を備えたことを特徴とする請求項１に記載のメモリー機構を有するシートスライド装置。
【請求項４】
メモリーリングにはその上端にスライド部材の係合段部に係合する屈曲端を備えると共に下端にはメモリーフックに係合する傾斜端を形成し、メモリーリングに形成した長孔を通してメモリー部材に取付けることによりメモリーリングをメモリー部材に上下移動可能に取付けたことを特徴とする請求項１に記載のメモリー機構を有するシートスライド装置。
【発明の詳細な説明】
【技術分野】
【０００１】
本発明はメモリー機構を有するシートスライド装置に関するもので、特にウオークイン動作においてシートを元の調整位置に復帰させるためのメモリー機構を備えた自動車用シートスライド装置に関するものである。
【背景技術】
【０００２】
従来、この種の自動車用シートスライド装置にはシートバックを前倒しすることによってシートを前方に移動させるウオークイン動作においてシートを初期設定の定点位置に復帰させるためのメモリー機構が備えられている（特許文献１参照）。この特許文献１に記載のメモリー機構はストッパプレートと板バネとから成る定点メモリーを備え、ロアレールの底面には定点メモリーの板バネを抑えてバネ力を付与する支えレールを立設してあり、定点メモリーは支えレールとロアレールとにより無負荷状態ではストッパプレートの後端部を板バネのバネ力で所定位置の抜き穴に没入させると共に先端側を斜め上方に向けるようにロアレールと支えレールとの間に配置されるようになっている。この定点メモリーはアッパプレートに枢軸で揺動可能に軸承されている押えカムによりロアレールの底面に押圧された状態で保持され、押えカムにはストッパプレートのへら状部とコの字状部を受け入れ、ロアレールの底面と平行に押圧する中央底辺とストッパプレートに当接する前後端とから形成した切欠部を下端に設けてある。切欠部にはストッパプレートのへら状部が押えカムの前縁に当接する際の受入れ用として中央底辺より深い逃げ部を前端に隣接して形成してある。
【０００３】
シート位置を前後方向に調整する場合には操作レバーを引張ると、第１作動レバーがケーブルワイヤに引張られて回動し、ロックレバーがコロにより押し下げられ、ロックプレートがロックレバーにより引き上げられると共に突歯がロック穴より外れるため、シートを前後方向に移動することができ、シートの位置移動に伴っては押えカムが補助シートと当接して定点メモリーをロアレールの底面に押圧したままであるから、ストッパプレートと板バネとを有するメモリー全体をロアレールと支えレールとの間に案内して摺動させることができる。シートの位置調整後は操作レバーの引上げを解除すれば、第１作動レバーが戻りコイルバネにより復帰動すると共にロックレバーがコイルスプリングにより復帰動するので、シートを調整位置においてロックプレートにより施錠状態に保持することができる。
【０００４】
ウオークイン動作においては別の操作レバーを引張ると、リクライニング機構のロックが解除されると共にシートバックが前倒れするので、第２作動レバーがケーブルワイヤにより引張られて回動し、ロックレバーと補助プレートとが押えシャフトのコロにより押し下げられ、ロックプレートがロックレバーにより引き上げられると共に突歯がロック穴より外れるため、シートを前方の所定位置までスライド移動させることができる。シートのスライド移動において補助プレートも押えシャフトにより押し下げられるのに伴って、押えカムがコイルスプリングにより引張られて回動し、その切欠部の後端をストッパプレートから離間させるので、定点メモリーがストッパプレートの後端部を板バネのバネ力で所定位置の抜き穴に没入させて先端縁を斜め上方に向け、押えカムがアッパプレートに付随して前方に移動するので、定点メモリーがロアレールと支えレールとの間で元の定点位置に置き去られ、元の位置を記憶したこととなる。ウオークイン動作後にシートを元の定点位置に戻す際にはシートバックの起立により第２作動レバーがロックレバーと補助プレートを押し下げなくなるが、押えカムがコイルスプリングに引っ張られ、押えカムの張出し片が補助プレートの掛止め段部に当接し、ロックレバーのコイルスプリングに抗してロックプレートの開錠状態を保つ。押えカムが切欠部の前端により斜め上方に向くストッパプレートの先端縁に突き当たるまでシートを後方に戻せば、シートを元の位置を記憶した定点位置に復帰させたこととなる。
【０００５】
【特許文献１】特開２００７−３０６３８号公報
【発明の開示】
【発明が解決しようとする課題】
【０００６】
上述したメモリー機構を有するシートスライド装置は前倒し時に定点位置を記憶するために定点メモリーがバネによりストッパプレートの後端部を抜き穴に没入させてその先端側を斜め上方に向けた状態でロアレール上に置き去りにされるため、異物がロアレール内に入り込み、スライド機構とメモリー機構とが正常に動作しない場合があるので、確実かつ安定したメモリー作動を行うことができない欠点がある。
【０００７】
本発明の目的はメモリー機構に備えた巻付けバネにより異物の入り込みを防ぎ、確実かつ安定したメモリー作動を行うことができるメモリー機構を有するシートスライド装置を提供することにある。
【課題を解決するための手段】
【０００８】
本発明によりメモリー機構を有するシートスライド装置はロアレールと該ロアレールに摺動可能に嵌合させたアッパレールとから成り、アッパレールにはロアレールに形成したロック歯に係脱可能なロック孔を備えかつ該ロック孔をロアレールのロック歯に噛合するように付勢させたロック部材を回動可能に取付け、またロック部材に係合してロック部材のロック孔をロアレールのロック歯から外してシートのロックオフ状態を保持する位置とシートのロック時にロック部材に係合しない位置に回動可能であってシートのロック時にロック部材に係合しない位置に付勢させたメモリー部材を回動可能に取付けてある。メモリー部材にはメモリーリングをメモリーフックに係合するように上下移動可能に取付けると共にシートのロック状態においてメモリーフックを上方に押上げるようにメモリーフックを付勢するロール状に巻付けた巻付けバネを支持させてある。アッパレール上にはシートバックの前倒し動作に連動して摺動可能なスライド部材を備え、該スライド部材にはロック部材のロック孔とロアレールのロック歯との噛合を外してシートのロックオフ状態を保持しかつロアレールのロック穴にメモリーフックを係合させてシートバックの前倒し前のシートの位置を記憶するメモリー部材を係合させてある。メモリーフックにはシートバックの前倒しによるシートの前方移動においてメモリーフックがロアレールのロック穴に噛合した状態でロール状に巻付けられた状態から巻きもどされて伸張すると共にシートバックの前倒し後のシートの復帰移動においてメモリーフックがロアレールのロック穴から外れるのを防ぐために伸張した状態からロール状に巻付ける巻付けバネを取付けたものである。
【０００９】
本発明によるシートスライド装置のメモリー部材は一端にロック部材に係合してロック部材のロック孔をロアレールのロック歯から外してシートのロックオフ状態を保持する位置とシートのロック時にロック部材に係合しない位置とに回動可能な突出端を備え、他端には該突出端がシートのロック時にロック部材に係合しない位置にメモリー部材を付勢するバネを設け、上部にはメモリー部材の突出端がロック部材に係合しないシートのロック位置においてスライド部材の下側係合端に係合する係合突出部を設けると共にメモリーフックにより上方に押上げられてスライド部材の上側係合端に係合するメモリーリングを備えている。
【００１０】
本発明によるシートスライド装置のスライド部材はメモリー部材の係合突出部とメモリーリングとが係合する係合案内部を備え、スライド部材の係合案内部にはシートバックの前倒し動作による前方移動においてメモリー部材をロック部材に係合させてロック部材のロック孔とロアレールのロック歯との噛合を外すためにメモリー部材の係合突出部に係合する傾斜面を備えると共に、メモリーリングを下方向に押下げる板バネを設け、更にシートバックの前倒し後の復帰時にメモリーフックに係合するまではシートのロックオフ状態を保持させるためにメモリーリングに係合する係合段部を備えている。
【００１１】
本発明によるシートスライド装置のメモリーリングは上端にスライド部材の係合段部に係合する屈曲端を備えると共に下端にはメモリーフックと係合する傾斜端を設けてあり、メモリーリングに形成した長孔を通してメモリー部材に取付けることによりメモリー部材に上下移動可能に取付けられている。
【発明の効果】
【００１２】
本発明は上述した構成であるから、ロール状に巻付けた伸張可能な巻付けバネによりロアレールとアッパレールとの間に異物が入り込むのを防止することができ、シートバックの前倒し動作に連動するスライド部材に係合させたメモリー部材とメモリーフックによりシートバックの前倒し前のシートの位置を正確に記憶することができる。また巻付けバネに取付けられたメモリーフックに係合するメモリーリングによりシートを記憶した前倒し前の元の位置に確実に復帰できると共に元の位置で確実にシートをロックすることができ、更に巻付けバネに取付けたメモリーフックにより確実かつ安定したメモリー作動を行うことができる。
【発明を実施するための最良の形態】
【００１３】
本発明によるメモリー機構を有するシートスライド装置は断面を略逆Ｕ字形状に形成したアッパレール１２と断面を略Ｕ字形状に形成したロアレール１３とから成り、自動車のフロアに固定されるロアレール１３にはアッパレール１２をそれらの開口部が互いに向き合うようにボールベアリングを介して摺動可能に嵌合させてあり、スプリング１４によりアッパレール１２を前方に付勢させてある。ロアレール１３はその側部にシートを所望位置でロックするための多数のロック歯１５を備えると共にその底面にシートバックの前倒し前のシートの元の位置を記憶するための多数のロック穴１０を形成してある。
【００１４】
アッパレール１２とロアレール１３との間にはロック部材８と、該ロック部材８に係合可能なメモリー部材９と、該メモリー部材９に支持された巻付けバネ６と、該巻付けバネ６に取付けられたメモリーフック１１とを配置させ、前記ロック部材８とメモリー部材９とをアッパレール１２に回動可能に取付けてある。アッパレール１２上にはブラケット１９を取付け、ブラケット１９には上面をカバー２０で被覆した摺動溝２１を設け、該摺動溝２１にはシートバックの前倒し動作に連動するスライド部材２を摺動可能に設けてある。
【００１５】
ロック部材８には、ロアレール１３に形成したロック歯１５に係脱可能なロック孔１６を備え、該ロック孔１６をロック歯１５に噛合させるように付勢するロックバネ１７を取付けると共に該ロックバネ１７の付勢力に抗してロック部材８を回動させてロック歯１５とロック孔１６との噛合を外す操作レバー１８を取付けてある。
【００１６】
メモリー部材９は軸２２によりその略中央部で巻付けバネ６を支持すると共にアッパレール１２に回動可能に取付けられ、その一端にはロック部材８に係合してロアレール１３のロック歯１５とロック部材８のロック孔１６との噛合を外す突出端２３を備え、その上部にはシートバックの前倒し動作においてスライド部材２に形成した係合案内部２４の下側傾斜面２５に係合可能な係合突出部２６を備え、その他端にはメモリー部材９が軸２２を中心に時計廻り方向、すなわちシートのロック時にロック部材８に係合しない位置に回動するように付勢するバネ７の係止端２８を設けてある。
【００１７】
バネ７はその中央部をアッパレール１２に取付けた支持枠２９に支持され、その一端をメモリー部材９の係止端２８に係止させ、その他端をアッパレール１２に取付けた支持片３０に係止させてあり、シートのロック状態においてバネ７はメモリー部材９を軸２２を中心に時計廻り方向に回動するように付勢し、メモリー部材９の突出端２３をロック部材８と係合しない位置、即ちロック部材８の作動を妨害しない位置に移動させると共に係合突出部２６をスライド部材２に形成した係合突出部２４の下側係合端２７に係合させるようにしてある。
【００１８】
メモリーフック１１はメモリー部材９に支持させた巻付けバネ６の下側に配置され、その一端にロアレール１３の底面に形成したロック穴１０に係脱可能なフック部３１を有すると共にその他端にはメモリー部材９に支持させた巻付けバネ６に取付けられ、シートのロック状態においてメモリーフック１１は巻付けバネ６によりフック部３１がロアレール１３のロック穴１０に係合しないように時計廻り方向に付勢され、メモリーリング３を上方向に押上げ、スライド部材２に形成されている上側係合端３６に係合させてある。
【００１９】
メモリー部材９にはメモリーリング３の長孔３２を通してメモリー部材９に取付けたボルト３３でメモリーリング３が上下移動可能に取付けられ、メモリーリング３はその下端にメモリーフック１１に当接する傾斜端３４を備えると共にその上端にはスライド部材２に形成した係合段部３９に係合する屈曲端３５を備え、シートのロック状態においてメモリーリング３は巻付けバネ６の付勢力で時計廻り方向に回動するメモリーフック１１により上方向に押圧され、スライド部材２内の上側係合端３６に支持されている。
【００２０】
巻付けバネ６は板バネをロール状に巻付けかつ巻きもどし可能にメモリー部材９上に軸２２で支持されると共に、シートのロック状態においてメモリーフック１１のフック部３１をロアレール１３のロック穴１０に噛合しない上方位置にメモリーフック１１を付勢するようにロール状に巻きつけてメモリーフック１１上に配置されている。シートバックの前倒しによるシートの前方移動において巻付けバネ６はメモリーフック１１のフック部３１をロアレール１３のロック穴１０に噛合させた状態でメモリーフック１１をロアレール１３上に残存させてアッパレール１２の前方移動に伴って巻きもどされて伸張し、シートバックの前倒し後のシートの復帰時に伸張されている巻付けバネ６はロール状に巻きつけられてメモリーフック１１のフック部３１をロアレール１３のロック穴１０に噛合しない上方位置にメモリーフック１１を付勢する。
【００２１】
シートバックの前倒し動作においてメモリー部材９はスライド部材２の下側傾斜面２５とメモリー部材９の係合突出部２６との係合によりメモリー部材９をバネ７のバネ力に抗して逆時計廻り方向に回動させ、メモリー部材９の突出端２３がロック部材８に係合してロアレール１３のロック歯１５とロック部材８のロック孔１６との噛合を外し、シートのロックオフ状態を保持しそしてメモリー部材９を下方向に回動させることによりメモリーフック１１のフック部３１を押圧し、該フック部３１をロアレール１３のロック穴１０に係合させてシートバックの前倒し前のシートの元の位置を記憶するようになっている。
【００２２】
スライド部材２は一端にケーブルＣを固定するためのフック１を備え、他端にはブラケット１９に取付けられたＬ型止め片３７に係止させたコイルスプリング５を取付けてあり、コイルスプリング５はスライド部材２をシートのロック状態における初期位置に位置付けするようになっており、ケーブルＣはブラケット１９に取付けられた案内溝を有するＬ形支持片３８を通してフック１に取付けられ、シートバックの前倒し動作に連動してスライド部材２をコイルスプリング５のバネ力に抗して引張るようになっている。
【００２３】
スライド部材２はその内部にアッパレール１２の開口部を通してスライド部材２内に延伸するメモリー部材９の係合突出部２６とメモリーリング３とを案内するための係合案内部２４を備え、係合案内部２４はシートのロック状態に置いてメモリー部材９がバネ７により時計廻り方向に回動してメモリー部材９の係合突出部２６が係合する下側係合端２７を備えると共にシートバックの前倒し動作に連動してスライド部材２が引張られることによりメモリー部材９の係合突出部２６と係合する下側傾斜面２５を設けてあり、下側傾斜面２５が係合突出部２６と係合することによりメモリー部材９をバネ７に抗して逆時計廻り方向に回動させ、メモリー部材９の突出端２３をロック部材８に係合させてロック部材８を下方向に押下げ、ロック部材８のロック孔１６をロアレール１３に形成したロック歯１５から外してシートのロックオフ状態を保持しかつメモリー部材９のボルト３３によりメモリーリング３を下方向に押下げると共にメモリーフック１１が巻付けバネ６のバネ力に抗して下方に押下げられ、メモリーフック１１のフック部３１がロアレール１３に形成したロック穴１０に噛合されるようになっている。
【００２４】
スライド部材２に形成した係合案内部２４の上部にはシートのロック状態においてメモリーフック１１が巻付けバネ６により時計廻り方向に回動してメモリーフック１１により上方に押上げられたメモリーリング３が係合する上側係合端３６を備えると共にシートバックの前倒し動作によるアッパレール１２の前方移動においてメモリーリング３を下方向に押圧するための板バネ４を設け、更に係合案内部２４にはシートバックの前倒し後の復帰移動時にメモリーフック１１がメモリーリング３に係合するまではスライド部材２が初期位置に戻るのを防ぐため、メモリーリング３の屈曲端３５に係合する係合段部３９を形成してある。
【００２５】
シートの通常の位置調整を行うには、図３に示すようにスライド部材２がコイルスプリング５により右側に引張られて初期位置に位置付けされ、メモリー部材９がバネ７により時計廻り方向に回動されてロック部材８に係合しない位置に位置決めされ、メモリーフック１１がバネ６により時計廻り方向に回動されてメモリーリング１３を上方に押上げられ、ロック部材８がそのロック孔１６をロックバネ１７によりロアレール１３に形成したロック歯１５に噛合させたシートのロック状態において、操作レバー１８を作動させることにより、ロアレール１３のロック歯１５からロック部材８のロック孔１６を外してシートの位置調整を行うことができる。
【００２６】
ウオークイン動作における本発明のシートスライド装置の作動を以下に説明する。シートバックの前倒しによりケーブルＣがスライド部材２のフック１を引張ると、図４に示すようにスライド部材２はコイルスプリング５に抗してフック１に引かれて左側に移動し、メモリー部材９の係合突出部２６がスライド部材２の下側傾斜面２５に係合することにより、メモリー部材９が逆時計廻り方向に回動し、その突出端２３がロック部材８に係合してロック部材８を押下げると、ロアレール１３のロック歯１５とロック部材８のロック孔１６との噛合が外れてシートをロックオフすると同時に、メモリー部材９がメモリーフック１１を押下げてメモリーフック１１のフック部３１がロアレール１３のロック穴１０に係合してシートバックの前倒し前のシートの位置を記憶する。シートバックの前倒し後のシートのロックオフによりアッパレール１２が前方に移動すると、図５に示したようにメモリーリング３がスライド部材２の板ばね４により下方向に押下げられ、メモリーフック１１のフック部３１がロアレール１３のロック穴１０に係合した状態でメモリーフック１１がロアレール１３内に残存し、巻付けバネ６はメモリーフック１１に引かれてロール状の巻付け状態から引き出されて伸張し、そのバネ力によりフック部３１がロアレール１３のロック穴１０から外れるのを防ぐ。シートの前方移動後のシートバックの復帰時においては、スライド部材２のフック１に加わるケーブルＣの引き力がなくなると、図６に示したようにスライド部材２がコイルスプリング５に引かれて多少右側に移動し、板バネ４によりメモリーリング３の上方屈曲端３５がスライド部材２の係合段部３９に係合し、スライド部材２が初期位置に戻るのを防ぎ、メモリー部材９はその突出端２３がロック部材８に係合した状態であると共にその係合突出部２６がスライド部材２の下側傾斜面２５に係合して逆時計廻り方向に回動した状態であるので、シートのロックオフ状態を保持している。シートの後方移動によりシートを元の位置に復帰させる場合に、アッパレール１２が後方に移動することにより、図７に示すように巻付けバネ６が伸張した状態からロール状に巻付けられ、メモリーリング３の傾斜端３４がロアレール１３のロック穴１０に係合しているメモリーフック１１に接触し、メモリーリング３の傾斜端３４により、メモリーリング３が図８に示すようにメモリーフック１１により徐々に上方に押上げられて、メモリーリング３の屈曲端３５とスライド部材２の係合段部３９との係合が外れるようになる。メモリーリング３の屈曲端３５とスライド部材２の係合段部３９との係合が外れると、図９に示したようにスライド部材２がコイルスプリング５に引張られて右側に移動し、メモリー部材９の係合突出部２６がスライド部材２の下側傾斜面２５を通して下側係合端２７に係合することによりメモリー部材９がバネ７により時計廻り方向に回動し、メモリー部材９の突出端２３がロック部材８とから離れ、メモリーリング３がメモリー部材９のボルト３３により上方に押上げられ、ロック部材８がロアレール１３のロック歯１５に接触するようになる。アッパレール１２が記憶したシートの元の位置まで復帰すると、図３に示すようにメモリーフック１１が巻付けバネ６により時計廻り方向に回動し、フック部３１をロアレール１３のロック穴１０から外すと共にメモリーリング３を上方に押上げてスライド部材２の上側係合端３６に係合させ、ロック部材８のロック孔１６がロアレール１３のロック歯１５に噛合することによりシートがシートバックの前倒し前の元の位置に復帰してロックされたことになる。
【図面の簡単な説明】
【００２７】
【図１】本発明によるシートスライド装置の分解斜視図である。
【図２】図１の組立て状態の斜視図である。
【図３】シートの通常の作動時のロック状態を示す縦断側面図である。
【図４】シートバックの前倒し時のシートの縦断側面図である。
【図５】シートバックの前倒し後にシートを前方に移動した状態を示すシートの縦断側面図である。
【図６】シートの前方移動後のシートバックの復帰時のシートの縦断側面図である。
【図７】シートを復帰させるためのシートの後方移動中にメモリーリングとメモリーフックとが接触した状態を示すレールの縦断側面図である。
【図８】シートを復帰させるためのシートの後方移動中にメモリーリングとスライド部材との係合が外れた時点を示すレールの縦断側面図である。
【図９】シートを復帰させるためのシートの後方移動中にメモリーリングとスライド部材との係合が外れてスライド部材が多少右側に移動した時点を示すレールの縦断側面図である。
【符号の説明】
【００２８】
１          フック
２          スライド部材
３          メモリーリング
４          板バネ
５          コイルスプリング
６          巻付けバネ
７          バネ
８          ロック部材
９          メモリー部材
１０        ロック穴
１１        メモリーフック
１２        アッパレール
１３        ロアレール
１４        スプリング
１５        ロック歯
１６        ロック孔
１７        ロックバネ
１８        操作レバー
１９        ブラケット
２０        カバー
２１        摺動溝
２２        軸
２３        突出端
２４        係合案内部
２５        下側傾斜面
２６        係合突出部
２７        下側係合端
２８        係止端
２９        支持枠
３０        支持片
３１        フック部
３２        長孔
３３        ボルト
３４        傾斜端
３５        屈曲端
３６        上側係合端
３７        Ｌ型止め片
３８        Ｌ型支持片
３９        係合段部
【図１】
2010076551.tif 000003
【図２】
2010076551.tif 000004
【図３】
2010076551.tif 000005
【図４】
2010076551.tif 000006
【図５】
2010076551.tif 000007
【図６】
2010076551.tif 000008
【図７】
2010076551.tif 000009
【図８】
2010076551.tif 000010
【図９】
2010076551.tif 000011